(57)【要約】      （修正有）【課題】ペットドライルームを提供すること。【解決手段】ペットを収容するドライルーム１００は回転フレーム１１と支持フレーム１２とそれぞれのフレーム間に張られてた軟質材の閉鎖パネル１４からなり、回転フレーム１１を回動させるとドライルーム１００に密閉空間を形成し、回動フレームを折畳むと内部が解放される。前方閉鎖パネルには据え置き孔、後方閉鎖パネルには集塵フィルター４０を持つ排出孔３０を備えている。据置孔に通常のドライヤーを固定し、作動させてドライルーム１００の内部に暖かい空気を供給して、この温風は集塵フィルター４０を通して排気孔から排出される。【選択図】図１
2018042492.tif 000002
【特許請求の範囲】
【請求項１】
内部にペットが収容可能な空間が形成されるドライルーム（１０）と、
前記ドライルーム（１０）の前方に貫設される据置き孔（２０）と、
前記ドライルーム（１０）の後方に貫設される排出孔（３０）と、
前記ドライルーム（１０）の後方に配設されて前記排出孔（３０）を閉鎖するが、内部には微細な孔（４１）が多数形成される集塵フィルター（４０）と、
を備えてなり、
前記ドライルーム（１０）は、「∩」字状を有し、両端にはそれぞれ内側に延設される回動突起（１１ａ）が形成されるが、その回動突起（１１ａ）の外周面にはねじ山（１１ｂ）が形成される回動フレーム（１１）と、「∩」字状を有するが、両端にはそれぞれ回動孔（１２ａ）が形成されて一方の端に形成される前記回動孔（１２ａ）は前記回動フレーム（１１）の一方の端に形成される回動突起（１１ａ）に嵌入し、他方の端に形成される前記回動孔（１２ａ）は前記回動フレーム（１１）の他方の端に形成される回動突起（１１ａ）に嵌入する多数の支持フレーム（１２）と、前記回動フレーム（１１）の両端に形成される前記回動突起（１１ａ）にそれぞれ締め付けられて前記回動フレーム（１１）の回動突起（１１ａ）に嵌入した前記支持フレーム（１２）の離脱を防ぐ固定ナット（１３）と、前記回動フレーム（１１）と支持フレーム（１２）との間及び前記支持フレーム（１２）と他の支持フレーム（１２）との間に形成されて前記回動フレーム（１１）と支持フレーム（１２）との間及び前記支持フレーム（１２）と他の支持フレーム（１２）との間を閉鎖する閉鎖パネル（１４）と、を備えてなり、
前記回動フレーム（１１）を拡開して（回動させて）底面に密着させると、前記閉鎖パネル（１４）によって前記回動フレーム（１１）と連結される前記支持フレーム（１２）及びその支持フレーム（１２）と連結される他の前記支持フレーム（１２）が前記回動フレーム（１１）とともに順次に回動されながら内部にペットが収容可能な密閉空間が形成され、
逆に、前記回動フレーム（１１）を折り畳むと、前記回動フレーム（１１）と連結される前記支持フレーム（１２）及びその支持フレーム（１２）と連結される他の前記支持フレーム（１２）が前記回動フレーム（１１）とともに回動されながら内部が開放されるようにすることを特徴とするペットドライルーム。
【請求項２】
前記ドライルーム（１０）の両側のそれぞれにユーザーの手が入れられるように形成される流入孔（５１）をさらに備えてなることを特徴とする請求項１に記載のペットドライルーム。
【請求項３】
内部が貫通され、一方の端は前記ドライルーム（１０）の据置き孔（２０）に嵌入して前記ドライルーム（１０）の内部と連通し、他方の端にはドライヤー（１）が嵌入するフレキシブルな連結パイプ（６０）をさらに備えてなることを特徴とする請求項１または請求項２に記載のペットドライルーム。
【請求項４】
前記ドライルーム（１０）の据置き孔（２０）に嵌着されるものであり、内部にドライヤー（１）が嵌入可能なように凹溝（７１）が形成され、その凹溝（７１）の内周面及び前方には多数の分散孔（７２）が形成される分散カバー（７０）をさらに備えて、
前記分散カバー（７０）の凹溝（７１）にドライヤー（１）を嵌着した後にドライヤー（１）を作動させると、温風が前記分散カバー（７０）に形成される多数の分散孔（７２）に分散排出されて前記ドライルーム（１０）の内部に温風が均一に分散供給されるようにすることを特徴とする請求項１または請求項２に記載のペットドライルーム。
【請求項５】
前記ドライルーム（１０）の後方に配設されるものであり、内部が貫通され、一方の端は前記集塵フィルター（４０）付き前記排出孔（３０）と連通するように連結される吸込みパイプ（８０）をさらに備えてなることを特徴とする請求項１または請求項２に記載のペットドライルーム。
【請求項６】
前記閉鎖パネル（１４）は、軟質及び硬質の材質のうちから選ばれるいずれか一種を単独で用いるか、または、軟質及び硬質の材質の２種を組み合わせて用いることを特徴とする請求項１に記載のペットドライルーム。
【請求項７】
一方の端は前記支持フレーム（１２）に結束される固定ロープ（１２１）と、
前記固定ロープ（１２１）の他方の端に係合されるものであり、前記回動フレーム（１１）に結束されて前記回動フレーム（１１）の回動を妨げる固定環（１２２）と、
を備えてなることを特徴とする請求項１に記載のペットドライルーム。
【請求項８】
一方の端が前記回動フレーム（１１）に結束固定される結束ロープ（１３１）と、
前記結束ロープ（１３１）の中心部の一方の面に形成される雌ベルクロ（１３２）と、
前記結束ロープ（１３１）の先端の一方の面に形成される雄ベルクロ（１３３）と、
をさらに備えてなり、
前記回動フレーム（１１）を折り畳んだ状態で前記結束ロープ（１３１）の先端が前記ドライルーム（１０）の後方に配設される前記支持フレーム（１２）を経由するようにした後に前記結束ロープ（１３１）の先端に形成される前記雄ベルクロ（１３３）を前記雌ベルクロ（１３２）に結束することによって、前記ドライルーム（１０）の体積を縮小させて保管し易さを誘導することを特徴とする請求項１に記載のペットドライルーム。
【発明の詳細な説明】
【技術分野】
【０００１】
本発明は、ペットドライルームに係り、さらに詳しくは、ドライルームの内部空間にペットを収容した後に据置き孔に家庭に備え付けられるドライヤーを据置き作動させてドライルームの内部に暖かい空気を注入してドライルームに収容されるペットを手軽に乾かすことができて従来のペット乾燥装置において用いられる各種の電気的、機械的な構成の使用が求められないことから、製品のコストを大幅に節減して一般家庭において費用負担なしに購入して用いるように誘導して製品の汎用性を確保することのできるペットドライルームに関する。
【背景技術】
【０００２】
最近は、愛犬、猫など各種のペットを飼う家庭が多く、これによって動物病院などペットに関わる業種が発展する傾向にある。
【０００３】
一方、室内で人間とともに生活するため、毛付きペットは清潔に多くの気を使うことを余儀なくされる。このため、ペットに頻繁にお風呂やシャワーを浴びさせて悪臭を除去し、毛に含まれている細菌やダニ、埃などを除去して周りの清潔状態を保たなければならない。
【０００４】
しかしながら、ペットにお風呂やシャワーを浴びさせた後に乾かす過程でペットが身体を激しく振って揺らして自ら身体に付いている水気を払い落とすときに毛及び水滴が周りに飛散して周りを汚し、乾かす過程でほとんどのペットがじっとしておらず逃げたり動いたりするためタオルやドライヤーなどを用いて濡れた毛を乾かすのに多くの時間及び手間がかかるという問題があった。
【０００５】
上述した問題を解消するために、最近は、密閉された四角ボックスの内部に乾かそうとするペットを入れた後に前記四角ボックスの内部に暖かい空気を供給してペットを乾かすペット乾燥装置が開発されて提案されている。
【０００６】
しかしながら、前記ペット乾燥装置は、熱源を提供するヒーティング手段、その熱源を四角ボックスの内部に供給する送風手段及び前記ヒーティング手段及び送風手段の作動を制御する各種の電気機器及びセンサーなどを備えることを余儀なくされるため装置が非常に高価であり、その結果、一般家庭では現実的に使い難いという問題があった。
【０００７】
また、毛の長いペットの場合には乾かす過程で毛をくしで梳かしながら乾かさなければ、毛が絡み合って上手く乾かされないが、前記ペット乾燥装置は、四角ボックス内にペットを入れて閉鎖する構造であるため、乾かす過程でくしで梳かすことができず、その結果、毛の長いペットの場合に乾かし終わると毛が絡み合って乾かした後に再び解さなければならないという使用上の不都合があった。
【０００８】
さらに、前記ペット乾燥装置には、多数の電気的・機械的な装置が組み込まれるため嵩張り、これによって装置の保管及び設置場所の制約が激しいという問題があった。
【先行技術文献】
【特許文献】
【０００９】
【特許文献１】大韓民国実用新案登録出願公開第２０―２０１１−０００８６３７号公報
【発明の概要】
【発明が解決しようとする課題】
【００１０】
本発明は上述したような諸問題を解消するために案出されたものであり、その目的は、ドライルームの内部空間にペットを収容した後に据置き孔に家庭に備え付けられるドライヤーを据え置いて作動させてドライルームの内部に暖かい空気を注入してドライルームに収容されるペットを手軽に乾かすことができて従来のペット乾燥装置において用いられる各種の電気的、機械的な構成の使用が求められないことから、製品のコストを大幅に節減して一般家庭において費用負担なしに購入して用いるように誘導して製品の汎用性を確保することのできるペットドライルームを提供することにある。
【００１１】
また、本発明の他の目的は、ペットを乾かす過程でユーザーはドライルームの両側面に形成される流入孔に手を入れてペットの毛をくしで梳かすことができて毛の長いペットを乾かす過程で毛が絡み合う問題を未然に防ぐことのできるペットドライルームを提供することにある。
さらに、本発明のさらに他の目的は、ドライルームの後方に配設される集塵フィルターを用いて乾かす過程でペットから離脱されて浮遊する毛を収集して集塵することができてペットの毛が周りに飛散して発生する各種の疾病（アレルギー、気管支疾病）を未然に予防することのできるペットドライルームを提供することにある。
【００１２】
加えて、本発明のさらに他の目的は、ドライルームは、使用に際しては手軽に拡開して使用し、使い終わって保管に際しては手軽に折り畳んで体積を最小化して保管することができてユーザーに製品の保管し易さ及び管理し易さを提供することのできるペットドライルームを提供することにある。
【課題を解決するための手段】
【００１３】
上述した目的を達成するための本発明に係るペットドライルームは、内部にペットが収容可能な空間が形成されるドライルームと、前記ドライルームの前方に貫設される据置き孔と、前記ドライルームの後方に貫設される排出孔と、前記ドライルームの後方に配設されて前記排出孔を閉鎖するが、内部には微細な孔が多数形成される集塵フィルターと、を備えてなり、前記ドライルームは、「∩」字状を有し、両端にはそれぞれ内側に延設される回動突起が形成されるが、その回動突起の外周面にはねじ山が形成される回動フレームと、「∩」字状を有するが、両端にはそれぞれ回動孔が形成されて一方の端に形成される前記回動孔は前記回動フレームの一方の端に形成される回動突起に嵌入し、他方の端に形成される前記回動孔は前記回動フレームの他方の端に形成される回動突起に嵌入する多数の支持フレームと、前記回動フレームの両端に形成される前記回動突起にそれぞれ締め付けられて前記回動フレームの回動突起に嵌入した前記支持フレームの離脱を防ぐ固定ナットと、前記回動フレームと支持フレームとの間及び前記支持フレームと他の支持フレームとの間に形成されて前記回動フレームと支持フレームとの間及び前記支持フレームと他の支持フレームとの間を閉鎖する閉鎖パネルと、を備えてなり、前記回動フレームを拡開して（回動させて）底面に密着させると、前記閉鎖パネルによって前記回動フレームと連結される前記支持フレーム及びその支持フレームと連結される他の前記支持フレームが前記回動フレームとともに回動されながら内部にペットが収容可能な密閉空間が形成され、逆に、前記回動フレームを折り畳むと、前記回動フレームと連結される前記支持フレーム及びその支持フレームと連結される他の前記支持フレームが前記回動フレームとともに順次に回動されながら内部が開放されるようにすることを特徴とする。
【００１４】
また、前記ドライルームの両側のそれぞれにユーザーの手が入れられるように形成される流入孔をさらに備えてなることを特徴とする。
【００１５】
さらに、内部が貫通され、一方の端は前記ドライルームの据置き孔に嵌入して前記ドライルームの内部と連通し、他方の端にはドライヤーが嵌入するフレキシブルな連結パイプをさらに備えてなることを特徴とする。
【００１６】
さらにまた、前記ドライルームの据置き孔に嵌着されるものであり、内部にドライヤーが嵌入可能なように凹溝が形成され、その凹溝の内周面及び前方には多数の分散孔が形成される分散カバーをさらに備えて、前記分散カバーの凹溝にドライヤーを嵌着した後にドライヤーを作動させると、温風が前記分散カバーに形成される多数の分散孔に分散排出されて前記ドライルームの内部に温風が均一に分散供給されるようにすることを特徴とする。
【００１７】
さらにまた、前記ドライルームの後方に配設されるものであり、内部が貫通され、一方の端は前記集塵フィルター付き前記排出孔と連通するように連結される吸込みパイプをさらに備えてなることを特徴とする。
【００１８】
さらにまた、前記閉鎖パネルは、軟質及び硬質の材質のうちから選ばれるいずれか一種を単独で用いるか、または、軟質及び硬質の材質の２種を組み合わせて用いることを特徴とする。
【００１９】
さらにまた、一方の端は前記支持フレームに結束される固定ロープと、前記固定ロープの他方の端に係合されるものであり、前記回動フレームに結束されて前記回動フレームの回動を妨げる固定環と、を備えてなることを特徴とする。
【００２０】
加えて、一方の端が前記回動フレームに結束固定される結束ロープと、前記結束ロープの中心部の一方の面に形成される雌ベルクロ（登録商標）と、前記結束ロープの先端の一方の面に形成される雄ベルクロ（登録商標）と、をさらに備えてなり、前記回動フレームを折り畳んだ状態で前記結束ロープの先端が前記ドライルームの後方に配設される前記支持フレームを経由するようにした後に前記結束ロープの先端に形成される前記雄ベルクロを前記雌ベルクロに結束することによって、前記ドライルームの体積を縮小させて保管し易さを誘導することを特徴とする。
【発明の効果】
【００２１】
上述したように、本発明に係るペットドライルームによれば、ドライルームの内部空間にペットを収容した後に据置き孔に家庭に備え付けられるドライヤーを据え置いて作動させてドライルームの内部に暖かい空気を注入してドライルームに収容されるペットを手軽に乾かすことができて従来のペット乾燥装置において用いられる各種の電気的、機械的な構成の使用が求められないことから、製品のコストを大幅に節減して一般家庭において費用負担なしに購入して用いるように誘導して製品の汎用性を確保することができるという効果がある。
【００２２】
また、ペットを乾かす過程でユーザーはドライルームの両側面に形成される流入孔に手を入れてペットの毛をくしで梳かすことができて毛の長いペットを乾かす過程で毛が絡み合う問題を未然に防ぐことができるという効果がある。
【００２３】
さらに、ドライルームの後方に配設される集塵フィルターを用いて乾かす過程でペットから離脱されて浮遊する毛を収集して集塵することができてペットの毛が周りに飛散して発生する各種の疾病（アレルギー、気管支疾病）を未然に予防することができるという効果がある。
【００２４】
加えて、ドライルームは、使用に際しては手軽に拡開して使用し、使い終わって保管に際しては手軽に折り畳んで体積を最小化して保管することができてユーザーに製品の保管し易さ及び管理し易さを提供することができるという効果がある。
【図面の簡単な説明】
【００２５】
【図１】本発明の第１の実施形態に係るペットドライルームの斜視図である。
【図２】図１に示すペットドライルームの分解斜視図である。
【図３】本発明の第２の実施形態に係るペットドライルームの斜視図である。
【図４】本発明の第３の実施形態に係るペットドライルームの斜視図である。
【図５】本発明の第４の実施形態に係るペットドライルームの斜視図である。
【図６】図１に示すペットドライルームの使用状態図である。
【発明を実施するための形態】
【００２６】
以下、本発明の好適な実施形態に係るペットドライルームについて添付図面に基づいて詳細に説明する。本発明の要旨を余計に曖昧にする虞があると認められる公知の機能及び構成についての詳細な記述は省略する。
【００２７】
図１から図６は、本発明の実施形態に係るペットドライルームを示すものであり、図１は、本発明の第１の実施形態に係るペットドライルームの斜視図を、図２は、図１に示すペットドライルームの分解斜視図を、図３は、本発明の第２の実施形態に係るペットドライルームの斜視図を、図４は、本発明の第３の実施形態に係るペットドライルームの斜視図を、図５は、本発明の第４の実施形態に係るペットドライルームの斜視図を、図６は、図１に示すペットドライルームの使用状態図をそれぞれ示すものである。
【００２８】
同図に示すように、本発明の実施形態に係るペットドライルーム１００は、ドライルーム１０と、据置き孔２０と、排出孔３０と、集塵フィルター４０と、を備えている。
【００２９】
図１及び図２に示すように、前記ドライルーム１０は、内部にペットが収容可能な空間が形成されるものであって、「∩」字状を有するが、両端にはそれぞれ内側に延設される回動突起１１ａが形成されるが、その回動突起１１ａの外周面にはねじ山１１ｂが形成される回動フレーム１１と、「∩」字状を有するが、両端にはそれぞれ回動孔１２ａが形成されて一方の端に形成される前記回動孔１２ａは前記回動フレーム１１の一方の端に形成される回動突起１１ａに嵌入し、他方の端に形成される前記回動孔１２ａは前記回動フレーム１１の他方の端に形成される回動突起１１ａに嵌入する多数の支持フレーム１２と、前記回動フレーム１１の両端に形成される前記回動突起１１ａにそれぞれ締め付けられて前記回動フレーム１１の回動突起１１ａに嵌入した前記支持フレーム１２の離脱を防ぐ固定ナット１３と、前記回動フレーム１１と支持フレーム１２との間及び前記支持フレーム１２と他の支持フレーム１２との間に形成されて前記回動フレーム１１と支持フレーム１２との間及び前記支持フレーム１２と他の支持フレーム１２との間を閉鎖する閉鎖パネル１４と、を備えてなる。
【００３０】
すなわち、図６ａに示すように、前記ドライルーム１０を用いるためには、前記回動フレーム１１を一方向に回動させて底面に密着させると、前記閉鎖パネル１４によって前記回動フレーム１１と連結される前記支持フレーム１２及びその支持フレーム１２と連結される他の前記支持フレーム１２が前記回動フレーム１１とともに順次に回動されながら内部にペットが収容可能な密閉空間が簡単に形成される。
【００３１】
このとき、前記ドライルーム１０の後方に配設される前記支持フレーム１２は、前記回動フレーム１１の回動とは無関係に底面に密着固定されて前記ドライルーム１０の内部に外部と密閉される空間が形成される。
【００３２】
ここで、前記ドライルーム１０の後方に配設される前記支持フレーム１２を除く残りの前記支持フレーム１２は、前記ドライルーム１０を支える骨組みの役割を果たして前記ドライルーム１０の形状を安定的に維持する。
【００３３】
逆に、図６ｅに示すように、前記ドライルーム１０を使い終わると、前記回動フレーム１１を他の方向に回動させて前記回動フレーム１１と連結される前記支持フレーム１２及びその支持フレーム１２と連結される他の前記支持フレーム１２が前記回動フレーム１１とともに他の方向に回動されるようにして前記ドライルーム１０の体積を最小化して保管し易くする。
【００３４】
ここで、図１及び図２に示すように、一方の端が前記回動フレーム１１に結束固定される結束ロープ１３１と、前記結束ロープ１３１の中心部の一方の面に形成される雌ベルクロ１３２と、前記結束ロープ１３１の先端の一方の面に形成される雄ベルクロ１３３と、をさらに備えて、図６ｅに示すように、前記回動フレーム１１を他の方向に回動させて折り畳んだ状態で前記結束ロープ１３１の先端が前記ドライルーム１０の後方に配設される前記支持フレーム１２を経由するようにした後に前記結束ロープ１３１の先端に形成される前記雄ベルクロ１３３を前記雌ベルクロ１３２に結束することによって、前記ドライルーム１０の体積を縮小して保管し易さを誘導することが好ましい。
【００３５】
一方、図１及び図２に示すように、一方の端は前記支持フレーム１２に結束される固定ロープ１２１と、前記固定ロープ１２１の他方の端に係合されるものであり、前記回動フレーム１１に結束されて前記回動フレーム１１の回動を妨げる固定環１２２と、をさらに備えてなる。
【００３６】
すなわち、図６ｆに示すように、前記回動フレーム１１を一方向に回動させるが、前記固定ロープ１２１に形成される前記固定環１２２に前記回動フレーム１１を引っ掛けて前記回動フレーム１１が底面に密着されずに空中に浮遊するように位置させて前記ドライルーム１０の内部空間を自然に開放して通常のペットの家として使えるように誘導して製品の活用性を強化させる。
【００３７】
このとき、前記ドライルーム１０の底面にはマット２を配置して、ペットが前記ドライルーム１０の内部においてくつろぐようにすることが好ましい。
【００３８】
一方、前記閉鎖パネル１４は、軟質及び硬質の材質のうちから選ばれるいずれか一種を単独で用いるか、または、軟質及び硬質の材質の２種を組み合わせて用いる。本発明のペットドライルーム１００の閉鎖パネルは、軟質及び硬質の材質がそれぞれ組み合わせられて具体化されるが、もちろん、これに限定して用いることはない。
【００３９】
ここで、前記軟質の材質としては、ビニールなどの軟質の樹脂材質を用い、前記硬質の材質としては、プラスチックなどの硬質の樹脂材質を用いるが、前記軟質及び硬質の材質はいずれも透明に形成してユーザーが前記ドライルーム１０の内部を覗き込むようにすることが好ましい。
【００４０】
一方、図１及び図２に示すように、前記ドライルーム１０の両側のそれぞれにユーザーの手が入れられるように形成される流入孔５１をさらに備えて、図６ｃに示すように、前記ドライルーム１０にペットを収容して毛を乾かす過程でユーザーは前記流入孔５１に両腕を入れてペットの毛を手軽にくしで梳かすことができて毛の長いペットを乾かした後に毛が絡み合う現象を未然に防ぐことができてユーザーに装置の使い勝手の良さを提供することができる。
【００４１】
ここで、前記ドライルーム１０の内部に前記流入孔５１と連通するように連結される腕袋５２を形成して、前記流入孔５１に流入するユーザーの両腕が前記腕袋５２によって取り囲まれるようにして、ペットを乾かす過程で前記ドライルーム１０の内部に飛散するペットの毛がユーザーの両腕に付くことを防いでユーザーが清潔に乾かす過程を行うようにすることはいうまでもない。
【００４２】
一方、本発明のペットドライルーム１００の流入孔５１及びドライルーム１０の下部には前記流入孔５１を閉塞し、前記ドライルーム１０と外部との間の精度よい密閉を誘導する蓋体（図示せず）がさらに形成されて、前記ドライルーム１０の内部の空気が飛散する毛とともに外部に排出されることを一層有効に防ぐことができるということはいうまでもない。
【００４３】
図１及び図２に示すように、前記据置き孔２０は、前記ドライルーム１０の前方に貫設されるものであり、前記ドライルーム１０の内部に暖かい空気を注入するために通常に家庭に配置されるドライヤー１を据え置く用途に用いられる。
【００４４】
すなわち、図６ｂに示すように、ユーザーは、前記ドライルーム１０の内部に乾かそうとするペットを収容した後に、前記据置き孔２０にドライヤー１を引っ掛けて固定した後、前記ドライヤー１を作動させて前記ドライルーム１０の内部に暖かい空気を供給してペットの濡れた毛が手軽に乾かされるように誘導する。
【００４５】
ここで、図１及び図２に示すように、前記ドライルーム１０の据置き孔２０に嵌着されるものであり、内部にドライヤー１が嵌入可能なように凹溝７１が形成され、その凹溝７１の内周面及び前方には多数の分散孔７２が形成される分散カバー７０をさらに備えて、図６ｂに示すように、前記分散カバー７０の凹溝７１にドライヤー１を嵌着した後にドライヤー１を作動させると、温風が前記分散カバー７０に形成される多数の分散孔７２に分散排出されて前記ドライルーム１０の内部に温風が均一に分散供給されるように誘導して前記ドライルーム１０の内部に収容されるペットの毛が一層有効に乾かされるようにすることが好ましい。
【００４６】
一方、図３に示すように、内部が貫通され、一方の端は前記ドライルーム１０の据置き孔２０に嵌入して前記ドライルーム１０の内部と連通し、他方の端にはドライヤー１が嵌入するフレキシブルな連結パイプ６０をさらに備えて、家庭に配置されるドライヤー１が大き過ぎたり小さ過ぎたりして前記据置き孔２０に固設し難い場合には、前記連結パイプ６０の一方の端を前記据置き孔２０に嵌着した後に前記連結パイプ６０の他方の端にドライヤー１を手軽に嵌着して前記連結パイプ６０を介して前記ドライルーム１０の内部に暖かい空気を注入することが好ましい。
【００４７】
このとき、前記連結パイプ６０はフレキシブルな材質によって形成されるので、様々な大きさのドライヤー１を嵌着し易く、その結果、前記連結パイプ６０に様々な大きさのドライヤー１を効果的に適用するように誘導する。
【００４８】
図１及び図２に示すように、前記排出孔３０は、前記ドライルーム１０の後方に貫設されるものであり、前記据置き孔２０を介して流入するドライヤー１の温風がペットを経て外部に排出されるようにする孔である。
【００４９】
図１及び図２に示すように、前記集塵フィルター４０は、内部には微細な孔４１が多数形成され、前記ドライルーム１０の後方に配設されて前記排出孔３０を閉鎖する。
【００５０】
すなわち、図６ｄに示すように、前記ドライルーム１０の内部に流入するドライヤー１の温風がペットから離脱して飛散する毛とともに前記排出孔３０に排出される過程で、前記集塵フィルター４０を介して空気は外部に排出し、且つ、飛散する毛は集塵・収集されるように誘導してペットの毛が外部に飛散して発生するアレルギー、気管支などの疾病を安定的に予防する。
【００５１】
ここで、前記集塵フィルター４０は、通常のベルクロ３を用いて前記ドライルーム１０の後方に手軽に着脱自在に形成して、ユーザーが前記集塵フィルター４０を手軽に回収して前記集塵フィルター４０に収集された毛を手軽に掃除するように誘導することが好ましい。
【００５２】
一方、図１及び図２に示すように、前記ドライルーム１０の後方に配設されるものであり、内部が貫通され、一方の端は前記集塵フィルター４０付き前記排出孔３０と連通するように連結される吸込みパイプ８０をさらに備えてなる。
【００５３】
すなわち、図６ｄに示すように、前記吸込みパイプ８０の一方の端を前記集塵フィルター４０と連通するように前記集塵フィルター４０に密着させた後、前記吸込みパイプ８０の他方の端に家庭に配置される通常の真空掃除機（図示せず）を連結して、前記真空掃除機の吸込み力を用いて前記ドライルーム１０の内部の空気を前記集塵フィルター４０に強制的に吸い込んで前記ドライルーム１０の内部に飛散する毛が前記集塵フィルター４０に集塵され易くなるように誘導する。
【００５４】
ここで、図４に示すように、前記吸込みパイプ８０及び真空掃除機の吸込み力の代わりに、前記ドライルーム１０の後方の前記排出孔３０に設けられて前記ドライルーム１０の内部の空気を吸い込んで外部に強制的に排出する吸込みファン９０を設けてもよい。
【００５５】
すなわち、前記吸込みファン９０を作動させて前記ドライルーム１０の内部の空気を前記集塵フィルター４０付き前記排出孔３０に強制的に吸い込んで外部に排出することによって、前記ドライルーム１０の内部に浮遊するペットの毛が前記集塵フィルター４０に集塵され易くなるように誘導する。
【００５６】
一方、図５に示すように、前記ドライルーム１０の上に設けられて外部の空気を内部に強制的に流入させる多数の送風ファン１１１と、前記送風ファン１１１の作動を制御するコントロールボックス１１２と、をさらに備えて、前記ドライルーム１０にペットを収容して乾かす過程で、前記送風ファン１１１を介して外部の空気を前記ドライルーム１０の内部に強制的に流入させて有効に乾かすように誘導することができる。
【００５７】
上述した構成要素を備える本発明のペットドライルーム１００は、ドライルーム１０の内部空間にペットを収容した後に、前記据置き孔２０に家庭に備え付けられるドライヤー１を据え置いて作動させて前記ドライルーム１０の内部に暖かい空気を注入して前記ドライルーム１０に収容されるペットを手軽に乾かすことができて、従来のペット乾燥装置において用いられる各種の電気的・機械的な構成の使用が求められないので、製品のコストを大幅に節減して一般家庭でコスト負担なしに購入して使えるように誘導して製品の汎用性を確保することができるという効果がある。
【００５８】
また、ペットを乾かす過程で、ユーザーは、前記ドライルーム１０の両側面に形成される前記流入孔５１に手を入れてペットの毛をくしで梳かすことができて、毛の長いペットを乾かす過程で毛が絡み合うという問題を未然に防ぐことができるという効果がある。
【００５９】
さらに、前記ドライルーム１０の後方に配設される前記集塵フィルター４０を用いて乾かす過程でペットから離脱されて浮遊する毛を収集して集塵することができて、ペットの毛が周りに飛散して発生する各種の疾病（アレルギー、気管支疾病）を未然に予防することができるという効果がある。
【００６０】
さらにまた、前記ドライルーム１０は、使用に際しては手軽に拡開して使用し、使い終わって保管に際しては手軽に折り畳んで体積を最小化して保管することができてユーザーに製品の保管し易さ及び管理し易さを提供するという効果がある。
【００６１】
上述したような構成を有する本発明の実施形態に係るペットドライルーム１００は、次のように用いてペットを乾かす。
【００６２】
まず、図６ａに示すように、本発明のペットドライルーム１００を用いてペットを乾かすためにドライルーム１０の回動フレーム１１を底面に密着されるように一方向に回動させて前記ドライルーム１０の内部に手軽に密閉空間を形成し、その空間に乾かそうとするペットを入れる。
【００６３】
次いで、図６ｂに示すように、ユーザーは、前記ドライルーム１０の据置き孔２０に家庭で用いる通常のドライヤー１を引っ掛けて固定した後、前記ドライヤー１を作動させて前記ドライルーム１０の内部に暖かい空気を供給してペットの濡れた毛を素早く乾かす。
【００６４】
このとき、前記据置き孔２０に嵌入する分散カバー７０によって前記ドライヤー１から供給される温風が前記ドライルーム１０の内部に均一に分散供給されて効率よく乾かすことができる。
【００６５】
これと同時に、図６ｃに示すように、ユーザーは、両腕を前記ドライルーム１０の両側に形成される流入孔５１に入れてペットの毛を手軽にくしで梳かして毛の長いペットを乾かした後に毛が絡み合うという現象を未然に予防する。
【００６６】
一方、図６ｄに示すように、ペットを乾かす過程でドライヤー１を介して前記ドライルーム１０の内部に流入した温風は、ペットから離脱されて飛散する毛とともに集塵フィルター４０を通過して外部に排出されるが、このとき、温風は前記集塵フィルター４０を通過して排出され、毛は前記集塵フィルター４０に集塵・収集されて外部への排出が防がれる。
【００６７】
ここで、前記集塵フィルター４０に吸込みパイプ８０の一方の端を密着して位置させた後に、前記吸込みパイプ８０の他方の端に家庭で用いられる通常の真空掃除機を連通するように突き合わせて前記真空掃除機の吸込み力を用いて前記ドライルーム１０の内部の空気を前記集塵フィルター４０に強制的に吸い込んで前記ドライルーム１０の内部に飛散する毛が手軽に前記集塵フィルター４０に集塵されるように誘導することができる。
【００６８】
次いで、図６ｅに示すように、ペットを乾かし終わると、前記ドライルーム１０の回動フレーム１１を他の方向に回動させて折り畳んで前記ドライルーム１０の体積を最小化して保管し易くする。
【００６９】
このとき、前記回動フレーム１１に連結される結束ロープ１３１の先端が前記ドライルーム１０の後方に配設される前記支持フレーム１２を経由したようにした後に、前記結束ロープ１３１の先端に形成される前記雄ベルクロ１３３を前記結束ロープの中心に形成される雌ベルクロ１３２に結束することによって、前記ドライルーム１０の体積を縮小した状態で強固に結束固定されるようにして保管し易くする。
【００７０】
本発明は添付図面に示す実施形態を参考として説明されたが、これは単なる例示的なものに過ぎず、上述した実施形態に何等限定されるものではなく、当該分野において通常の知識を有する者であれば、これから様々な変形が行え、しかも、均等な実施形態が採用可能であるということが理解できる筈である。なお、本発明の思想を逸脱しない範囲内において当業者によって変形可能であるということはいうまでもない。よって、本発明において権利を請求する範囲は、詳細な説明の範囲内に定められるものではなく、後述する請求範囲及びその技術的な思想によって限定されるべきである。
【符号の説明】
【００７１】
１…ドライヤー
２…マット
３…ベルクロ
１０…ドライルーム
１１…回動フレーム
１１ａ…回動突起
１１ｂ…ねじ山
１２…支持フレーム
１３…固定ナット
１４…閉鎖パネル
２０…据置き孔
３０…排出孔
４０…集塵フィルター
４１…孔
５１…流入孔
５２…腕袋
６０…連結パイプ
７０…分散カバー
７１…凹溝
７２…分散孔
８０…吸込みパイプ
９０…吸込みファン
１１１…送風ファン
１１２…コントロールボックス
１２１…固定ロープ
１２２…固定環
１３１…結束ロープ
１３２…雌ベルクロ
１３３…雄ベルクロ
１００…ペットドライルーム
【図１】
2018042492.tif 000003
【図２】
2018042492.tif 000004
【図３】
2018042492.tif 000005
【図４】
2018042492.tif 000006
【図５】
2018042492.tif 000007
【図６ａ】
2018042492.tif 000008
【図６ｂ】
2018042492.tif 000009
【図６ｃ】
2018042492.tif 000010
【図６ｄ】
2018042492.tif 000011
【図６ｅ】
2018042492.tif 000012
【図６ｆ】
2018042492.tif 000013